(57)【要約】  実施形態は、床面メンテナンス機械の洗浄ヘッドアセンブリを含む。洗浄ヘッドアセンブリはハブ（または洗浄ヘッドハウジング）およびパッドドライバを含むことができ、前記パッドドライバは、タッチフリー式にハブ（または洗浄ヘッドハウジング）に取り付けられ、ハブと軸方向に整列する。
2016508424.tif 000002
【特許請求の範囲】
【請求項１】
床面メンテナンス機械の洗浄ヘッドアセンブリであって、
ハブと、
パッドドライバであって、タッチフリー式に前記ハブに取り付けられ、前記ハブと軸方向に整列するパッドドライバと
を含む洗浄ヘッドアセンブリ。
【請求項２】
前記パッドドライバが１つまたは複数の磁石を含み、前記ハブが強磁性材料を含み、前記１つまたは複数の磁石が前記強磁性材料を引きつける、請求項１に記載の洗浄ヘッドアセンブリ。
【請求項３】
前記パッドドライバが上面を有し、前記１つまたは複数の磁石が前記パッドドライバの上面に配置され、および前記ハブが底面を有し、前記強磁性材料が、前記ハブの底面に配置された強磁性材料のリングである、請求項２に記載の洗浄ヘッドアセンブリ。
【請求項４】
前記ハブが１つまたは複数の磁石を含み、前記パッドドライバが強磁性材料を含み、前記１つまたは複数の磁石が前記強磁性材料を引きつける、請求項１に記載の洗浄ヘッドアセンブリ。
【請求項５】
前記ハブが底面を有し、前記１つまたは複数の磁石が前記ハブの底面に配置され、および前記パッドドライバが上面を有し、前記強磁性材料が、前記パッドドライバの上面に配置された強磁性材料のリングである、請求項４に記載の洗浄ヘッドアセンブリ。
【請求項６】
前記ハブが複数のハブ歯を有し、前記パッドドライバが複数のパッドドライバ歯を有し、前記ハブ歯が前記パッドドライバ歯と噛み合う、請求項１に記載の洗浄ヘッドアセンブリ。
【請求項７】
前記ハブが底面を有し、前記ハブの底面が軸方向整列突出部を含み、前記軸方向整列突出部が、最下面で終了する円錐台形状を有し、前記最下面が直径を有し、前記パッドドライバが、直径を有するパッドドライバ開口を有し、前記最下面の直径が前記パッドドライバ開口の直径より小さい、請求項１に記載の洗浄ヘッドアセンブリ。
【請求項８】
前記パッドドライバが上面を有し、前記上面が軸方向整列突出部を含み、前記軸方向整列突出部が、最上面で終了する円錐台形状を有し、前記最上面が直径を有し、前記ハブが、直径を有するハブ開口を有し、前記最上面の直径が前記ハブ開口の直径より小さい、請求項１に記載の洗浄ヘッドアセンブリ。
【請求項９】
床面メンテナンス機械の洗浄ヘッドアセンブリであって、
ドライブシャフトを有するモータと、
上面および底面を有するハブであって、前記ハブの上面が、前記ドライブシャフトを受け入れる開口を含み、前記ハブの底面が複数のハブ歯を有するハブと、
上面を有するパッドドライバであって、前記パッドドライバの上面が複数のパッドドライバ歯を含むパッドドライバとを含み、
前記ハブの底面が、前記ハブ歯が前記パッドドライバ歯と係合するように、前記パッドドライバの上面に磁気的に取り付けられるように構成された、
洗浄ヘッドアセンブリ。
【請求項１０】
前記ハブの底面が軸方向整列突出部を含み、前記軸方向整列突出部が、最下面で終了する円錐台形状を有し、前記最下面が直径を有し、前記パッドドライバが、直径を有するパッドドライバ開口を有し、前記最下面の直径が前記パッドドライバ開口の直径より小さい、請求項９に記載の洗浄ヘッドアセンブリ。
【請求項１１】
前記パッドドライバの上面が軸方向整列突出部を含み、前記軸方向整列突出部が、最上面で終了する円錐台形状を有し、前記最上面が直径を有し、前記ハブが、直径を有するハブ開口を有し、前記最上面の直径が前記ハブ開口の直径より小さい、請求項９に記載の洗浄ヘッドアセンブリ。
【請求項１２】
前記ハブの底面が強磁性材料を有し、前記パッドドライバの上面が前記１つまたは複数の磁石を有し、前記１つまたは複数の磁石が前記強磁性材料を引きつける、請求項９に記載の洗浄ヘッドアセンブリ。
【請求項１３】
前記ハブの底面が１つまたは複数の磁石を有し、前記パッドドライバの上面が強磁性材料を含み、前記１つまたは複数の磁石が前記強磁性材料を引きつける、請求項９に記載の洗浄ヘッドアセンブリ。
【請求項１４】
床面メンテナンス機械の洗浄ヘッドアセンブリであって、
洗浄ヘッドハウジングと、
パッドドライバであって、タッチフリー式に前記洗浄ヘッドハウジングに取り付けられるパッドドライバと
を含む洗浄ヘッドアセンブリ。
【請求項１５】
前記パッドドライバが１つまたは複数の磁石を含み、前記洗浄ヘッドハウジングが、強磁性材料を含む構成要素を含み、前記強磁性材料が活性化されていないとき、前記１つまたは複数の磁石が前記強磁性材料を引きつける、請求項１４に記載の洗浄ヘッドアセンブリ。
【請求項１６】
前記強磁性材料が活性化されているとき、前記１つまたは複数の磁石が前記強磁性材料から反発する、請求項１５に記載の洗浄ヘッドアセンブリ。
【請求項１７】
前記１つまたは複数の磁石が前記強磁性材料を引きつけているとき、前記パッドドライバが前記洗浄ヘッドハウジングと結合する、請求項１５に記載の洗浄ヘッドアセンブリ。
【請求項１８】
前記１つまたは複数の磁石が前記強磁性材料を引きつけた後、前記１つまたは複数の磁石が間隙によって前記パッドドライバから分離され、前記間隙は前記パッドドライバが前記洗浄ヘッドハウジングに対して回転することを可能にする、請求項１５に記載の洗浄ヘッドアセンブリ。
【請求項１９】
前記パッドドライバが１つまたは複数の磁石を含み、前記洗浄ヘッドハウジングが、強磁性材料を含む構成要素を含み、強磁性材料を含む前記構成要素がデッキである、請求項１５に記載の洗浄ヘッドアセンブリ。
【請求項２０】
前記パッドドライバが１つまたは複数の磁石を含み、前記洗浄ヘッドハウジングがハブおよび強磁性材料を含み、前記強磁性材料が前記ハブに配置されない、請求項１５に記載の洗浄ヘッドアセンブリ。
【発明の詳細な説明】
【技術分野】
【０００１】
概して本発明は、表面メンテナンス機械に関する。詳細には、本発明はそのような機械で使用するための洗浄ヘッドアセンブリに関し、この洗浄ヘッドアセンブリはタッチフリー式の取付けおよび整列技術を有する。
【背景技術】
【０００２】
表面メンテナンス機械は、電源内蔵型、牽引式、もしくは推進式、および／または手動駆動式であり得る車両および装置を含む。表面メンテナンス機械は一般的に洗浄ヘッドを含み、洗浄ヘッドは１つまたは複数のモータによって作動される１つまたは複数の洗浄ツールを含む。各洗浄ツールは所望の処理作業を床面に実行するように構成される。例えば、表面メンテナンス機械が床スクラビング機械である場合、洗浄ヘッドは、床を擦る１つまたは複数のブラシを含む。同様に、表面メンテナンス機械が床掃き機械である場合、洗浄ヘッドは、床と接触し、ほぐれた屑をホッパに投入する１つまたは複数のブラシを含む。洗浄ヘッドは典型的に表面メンテナンス機械の下側に配置される。
【０００３】
典型的な洗浄ヘッドは一般的にモータと、デッキと、ハブと、パッドドライバとを含む。ハブはモータおよびデッキに取り付けられ、次にパッドドライバがハブに取り付けられる。パッドドライバをハブに取り付けるために、使用者はパッドドライバを自分の手に保持し、パッドドライバを洗浄ヘッドアセンブリの下に位置付ける。次に使用者は、パッドドライバがハブと整列しロック機構または適所スナップ機構を介してハブに取り付けられるまで、自分の手を使ってパッドドライバを扱う。これは使用者にとって労働集約的な仕事であり、多くの使用者は自分の手を洗浄ヘッドアセンブリの下に置かなければならないことを嫌う。
【発明の概要】
【発明が解決しようとする課題】
【０００４】
タッチフリー式にハブなどの洗浄ヘッドアセンブリ構成要素と整列しそれに取り付けられるパッドドライバを有する洗浄ヘッドアセンブリを提供することが望ましいであろう。
【課題を解決するための手段】
【０００５】
本発明の特定実施形態を、以下の番号付けされた例示的実施形態において記載する。タッチフリー式の取付けおよび整列技術を有する洗浄ヘッドアセンブリの実施形態が開示される。アセンブリは、ハブ（または洗浄ヘッドハウジング）およびパッドドライバを含み、パッドドライバは、磁気結合システムおよび整列システムを使用してハブ（または洗浄ヘッドハウジング）に取り付けられ、それと整列する。パッドドライバはタッチフリー式にハブ（または洗浄ヘッドハウジング）に取り付けられ、それと軸方向に整列する。ハブはまた歯を有し、歯はパッドドライバの歯と係合または噛み合い、ハブからのトルクをパッドドライバに伝達する一助となる。
【０００６】
特定実施形態では、パッドドライバは１つまたは複数の磁石を含み、ハブは強磁性材料を含み、１つまたは複数の磁石は強磁性材料を引きつける。あるいはハブが１つまたは複数の磁石を含み、パッドドライバが強磁性材料を含む。強磁性材料は強磁性材料のリングであることができる。いくつかの場合、１つまたは複数の磁石は、強磁性材料が活性化されていないとき強磁性材料を引きつけ、強磁性材料が活性化されているとき強磁性材料から反発する。
【０００７】
また、いくつかの実施形態では、ハブは、軸方向整列突出部を含む底面を有する。軸方向整列突出部は、最下面で終了する円錐台形状を有することができ、最下面は直径を有し、パッドドライバは、直径を有するパッドドライバ開口を有し、最下面の直径はパッドドライバ開口の直径より小さい。
【０００８】
他の実施形態では、パッドドライバが、軸方向整列突出部を含む上面を有し、軸方向整列突出部は、最上面で終了する円錐台形状を有し、最上面は直径を有し、ハブは、直径を有するハブ開口を有し、最上面の直径はハブ開口の直径より小さい。
【０００９】
いくつかの実施形態では、ハブは、ドライブシャフトを受け入れる開口を含む上面と、複数のハブ歯を有する底面とを有する。また、パッドドライバは複数のパッドドライバ歯を含む上面を有する。ハブ底面は、ハブ歯がパッドドライバ歯と係合するようにパッドドライバ上面に磁気的に取り付けられるように構成される。
【００１０】
以下の図面は本発明の特定実施形態の例であり、従って本発明の範囲を限定しない。図面は（そのように記載されない限り）必ずしも原寸に比例して描かれておらず、以下の詳細な記載の説明と組み合わせて使用することが意図される。本発明の実施形態はこれ以後本明細書において付随の図面と組み合わせて記載され、図面中、類似の番号は類似の要素を示している。
【図面の簡単な説明】
【００１１】
【図１】本発明の洗浄ヘッドアセンブリを使用する例示的な床面メンテナンス機械の斜視図である。
【図２】本発明の一実施形態による洗浄ヘッドアセンブリの斜視図である。
【図３】洗浄ヘッドアセンブリの構成要素を示す分解図である。
【図４】洗浄ヘッドアセンブリのパッドドライバにパッドを保持するパッドホルダの分解図である。
【図５ａ】洗浄ヘッドアセンブリの上面図である。
【図５ｂ】図５ａの断面線５ｂ−５ｂに沿って取られた断面図である。
【図６】一実施形態による洗浄ヘッドアセンブリのパッドドライバの上面の斜視図である。
【図７】図６のパッドドライバの底面の斜視図である。
【図８ａ】パッドドライバの上面図である。
【図８ｂ】図８ａの断面線８ｂ−８ｂに沿って取られた断面図である。
【図９】一実施形態による洗浄ヘッドアセンブリのハブの上面の斜視図である。
【図１０】図９のハブの底面の斜視図である。
【図１１ａ】図９のハブの上面図である。
【図１１ｂ】図１１ａの断面線１１ｂ−１１ｂに沿って取られた断面図である。
【図１２】一実施形態によるハブおよびパッドドライバの組合せの斜視図である。
【図１３ａ】図１２のハブおよびパッドドライバの組合せの上面図である。
【図１３ｂ】図１３ａの断面線１３ｂ−１３ｂに沿って取られた断面図である。
【図１４ａ】別の実施形態による洗浄ヘッドアセンブリの上面図である。
【図１４ｂ】図１４ａの洗浄ヘッドアセンブリの断面図である。
【図１５】一実施形態による洗浄ヘッドアセンブリのパッドドライバの上面の斜視図である。
【図１６】図１５のパッドドライバの底面の下側斜視図である。
【図１７ａ】図１５のパッドドライバの上面図である。
【図１７ｂ】図１７ａの断面線１７ｂ−１７ｂに沿って取られた断面図である。
【図１８】一実施形態による洗浄ヘッドアセンブリのハブの上面の斜視図である。
【図１９】図１８のハブの底面の斜視図である。
【図２０ａ】図１８のハブの上面図である。
【図２０ｂ】図２０ａの断面線２０ｂ−２０ｂに沿って取られた断面図である。
【図２１】一実施形態によるハブおよびパッドドライバの組合せの斜視図である。
【図２２ａ】図２１のハブおよびパッドドライバの組合せの上面図である。
【図２２ｂ】図２２ａの断面線２２ｂ−２２ｂに沿って取られた断面図である。
【図２３】一実施形態による２重ハブおよび２重パッドドライバを有する洗浄ヘッドアセンブリの斜視図である。
【図２４】パッドドライバに下向きの力を適用するハブ上の装置の斜視図である。
【図２５】別の実施形態による洗浄ヘッドアセンブリの斜視図である。
【図２６】図２５の洗浄ヘッドアセンブリの断面図である。
【図２７】図２５の洗浄ヘッドアセンブリの別の断面図である。
【発明を実施するための形態】
【００１２】
図１は例示的な床面メンテナンス機械２００の斜視図を示す。この例では、機械２００は、硬い床面を処理するために使用されるウォークビハインド型機械である。勿論、他の例では、機械は代わりに乗車型またはけん引型機械であることもできる。機械２００の実施形態は、電動式移動体の上に支持される構成要素を含む。移動体は、床処理作業が実行される床上を移動するためのホイール２２０に支持されたフレームを含む。移動体は操作者制御器および操舵用ハンドル２２８を含む。機械２００は、１つまたは複数のバッテリまたは内燃機関などの搭載動力源によって動力を供給することができる。あるいは、機械２００は、電気コードを介して動力を供給することができる。
【００１３】
機械２００は一般的に、フレームを含むベース部２０２と、蓋２０４とを含み、蓋２０４はヒンジによってベース部２０２の側面に沿って取り付けられ、その結果、蓋２０４はベース部２０２の内部へのアクセスを提供するために上方へ回転できる。ベース部２０２の内部はまた、バッテリ源または機械２００の他の電気構成要素を含むことができる。ベース部の内部はまた、流体源タンクおよび流体回収タンクを含むことができる。流体源タンクは、処理作業中、床面に塗布できる洗浄剤または消毒流体などの流体源を含有する。流体回収タンクは、床面に塗布され且つ汚れた回収済み流体源を保持する。
【００１４】
ベース部２０２はまた、真空スキージ２２４を含む流体回収装置２２２を含む。スキージ２２４は流体回収タンクと真空連通している。作動中、スキージ２２４は汚れた流体を床面から回収し、それを回収タンクへ移送する一助となる。ベース部２０２は、本発明の洗浄ヘッドアセンブリ１０を運ぶ。洗浄ヘッドアセンブリ１０は、洗浄ヘッド１０を洗浄位置へ下ろし、そして移動位置へ上げることができるように、ベース部２０２に取り付けることができる。洗浄ヘッドアセンブリ１０は、サスペンションおよびリフト機構など、いずれかの知られている機構を使用して既存の機械と連動される。洗浄ヘッドアセンブリ１０は、円筒スクラブブラシなど、１つまたは複数の回転ブラシを含む。ブラシは、ブラシと一緒に洗浄ヘッドアセンブリ１０のハブから着脱できるパッドドライバによって保持される。本発明の特定の実施形態では、洗浄ヘッドアセンブリ１０は、磁気結合システムを含み、これによりパッドドライバとハブとの間でタッチフリー取付けおよび整列が可能になる。
【００１５】
本発明の特定実施形態では、パッドドライバおよびハブは、磁気結合システムを使用して結合する。ハブは底面を有し、パッドドライバは上面を有する。ハブ底面は強磁性材料を含み、パッドドライバ上面は、強磁性材料に結合する１つまたは複数の磁石を含む。あるいは、ハブ底面が磁石を含み、パッドドライバ上面が強磁性材料を含む。いずれの場合も、パッドドライバおよびハブが互いに近づけられると、磁石がパッドドライバをハブの方に引っ張り、強磁性材料に結合する。これは、タッチフリー式に起きる取付けを可能にする。
【００１６】
またパッドドライバおよびハブは、整列システムを使用して整列する。磁石がパッドドライバをハブの方へ引っ張るとき、パッドドライバはまたハブと自己整列する。ハブ底面は、下方へ延在し且つパッドドライバの開口内に整列する軸方向整列突出部を含む。整列突出部は、パッドドライバの開口直径より小さい直径を有する最下表面を有する。これにより整列突出部は容易かつ幾分自動的にパッドドライバ開口に挿入され、ハブとパッドドライバとの間の軸方向整列を提供する。あるいは、パッドドライバ上面が、上方に延在し且つハブの開口内に整列する軸方向整列突出部を含む。ここで、割り当て突出部は、ハブの開口の直径より小さい直径を有する最上面を有する。
【００１７】
加えて、ハブ底面は複数のハブ歯を含み、パッドドライバ上面は複数のパッドドライバ歯を含む。ハブ歯およびパッドドライバ歯は互いに噛み合う、または係合する。整列突出部は、パッドドライバ歯がハブ歯と噛み合うまで、パッドドライバ開口を通って下方へ（または代替実施形態ではハブ開口を通って上方へ）移動する。歯の噛み合いは、ハブとパッドドライバ間に回転整列を提供する。パッドドライバは、いったん歯が係合され磁石が強磁性材料と接触すると、ハブに完全に取り付けられる。磁石と強磁性材料間の接合は、床洗浄に耐えるのに十分強力であるが、ハブからのパッドドライバの簡単な取外しを許容するのに十分に弱い。加えて、係合された歯は、回転トルクがハブからパッドドライバへ簡単に伝達されることを許容する。係合された歯はまた、床を擦る間、時計回りまたは反時計回り方向のねじれた空転を防止する一助となる。
【００１８】
次に洗浄ヘッドアセンブリ１０の特定の例示的実施形態を記載する。図２は、組み立てられた洗浄ヘッドアセンブリ１０を示し、図３は分解された洗浄ヘッドアセンブリを示す。示されるように、洗浄ヘッドアセンブリ１０は一般的にモータ１２、デッキ１４、ハブ１６、パッドドライバ１８、毛材２０およびパッド２２を含む。モータ１２はドライブシャフト２４を含み、場合によってはドライブシャフトはキー付きドライブシャフトである。モータ１２はデッキ１４に固定式に取付けられ、デッキ１４は、ドラフトシャフト２４を受け入れるデッキ開口２６を含む。デッキ１４はまたスカート２８を有し、スカート２８はデッキ１４の周囲を囲み下方に延在する。流体分散管３０がまたデッキ開口２６を通って延在する。
【００１９】
ハブ１６は、ドライブシャフト２４を同じく受け入れそれと固定式に係合するハブ開口３２を有する。モータドライブシャフト２４がキー付きドライブシャフトである場合では、ハブ開口３２は、キー付きドライブシャフトを受け入れるように構成されたキー付き開口であることができる。従って、モータドライブシャフト２４は最初にデッキ開口２６を通って延在し、次にハブ開口３２に挿入されその中でロックされる。従ってモータ１２、デッキ１４およびハブ１６は、全てロックされる、または一緒に適所に保持される。同じく、作動中、モータ１２はドライブシャフト２４の回転を駆動し、次にドライブシャフト２４がハブ１６の回転を駆動する。回転は時計回りまたは反時計回り方向のどちらかであり得る。いくつかの実施形態では、ハブ１６はベルトを介してモータレスハブと接続し得、その結果、ハブ１６の回転がモータ１２を介して接続するように作動するドライブシャフト２４が、ハブと係合しかつ回転させるベルトドライブを作動する。モータ１２は当該技術分野で知られる他の方法を介してハブ１６を駆動することもできる。ハブ１６をモータ１２に取り付ける１つの実施形態が記載されているが、当業者は、モータを介してハブの回転を駆動する公知のいかなる機構も使用できることを理解するはずである。
【００２０】
パッドドライバ１８は、ハブ１６の下に配置される。操作者は、パッドホルダアセンブリを使用して、所望の毛材２０およびパッド２２をパッドドライバ１８に取り付ける。特定実施形態では、毛材２０はパッドドライバアセンブリに含まれる。毛材２０は毛材開口３４を有し、パッド２２はパッド開口３６を有する。図４は一実施形態によるパッドホルダアセンブリ３８を示す。パッドホルダアセンブリ３８は上部ワッシャ４０、下部ワッシャ４２およびねじ４４を含む。
【００２１】
上部ワッシャ４０は上面４６、底面４８および開口５０を含む。開口は下方に延在するので、下方に延在するねじ付き突出部５０を画定する。ねじ付き突出部５０は一般的に円筒状であり、中心が空いている。上部ワッシャ底面４８はまた、１つまたは複数の下方スパイク５２を含み、下方スパイクは下方におよび底面４８から離れる方に延在する。下部ワッシャ４２は上面５４、底面５６および開口５８を含む。下部ワッシャ上面５４も同じく、上方におよび上面５４から離れる方に延在する上方スパイク６０を有する。
【００２２】
ねじ４４は、上面６４および底面６６を有するねじベース部６２を含む。ねじ付きねじ突出部６８が、上方におよびねじベース部上面６４から離れる方に延在する。ねじ付きねじ突出部６８は中空中心部を有することもでき、中空中心部はねじベース部底面６６の開口（不図示）を通って延在する。使用中、ねじベース部６２の上面６４が下部ワッシャ底面５６と当接するようにねじ付きねじ突出部６８を下部ワッシャ開口５８に挿入する。その後、ねじ付きねじ突出部６８（および取り付けられた下部ワッシャ４２）をパッド開口３６および毛材開口３４に挿入する。最後に、ねじ付きねじ突出部６８を、上部ワッシャ４０の下向きに延在する突出部５０にねじ込む。
【００２３】
いったんねじ付きねじ突出部６８が下向きに延在するねじ付き突出部５０と係合されると、毛材２０およびパッド２２は、下部ワッシャ４２と上部ワッシャ４０の間で適所に保持される。上部ワッシャ４０の下方スパイク５２は毛材２０と係合するが、下部ワッシャ４２の上方スパイク６０はパッド２２と係合しそれらを適所に保持する。従って、パッドドライバ１８、毛材２０およびパッド２２は、パッドホルダアセンブリ３８を使用して一緒に保持され、且つ、一緒にパッドドライバアセンブリを形成する。パッドホルダアセンブリ３８の特定実施形態が記載されているが、当業者は、使用されるとき、当該技術分野で知られるいかなる機構を使用してもパッドドライバ１８をパッド２２に、および毛材２０に固定できることを理解するはずである。
【００２４】
図５ｂは、概ね図５ａの線５ｂ−５ｂに沿って取られた組み立てられた形態（明確にするため毛材２０およびパッド２２は省略されている）の洗浄ヘッド１０の断面図を示す。示されるように、モータ１２はドライブシャフト２４を有し、ドライブシャフト２４はデッキ開口２６に挿入され且つハブ１６のドライブシャフト開口７０にロックされる。従って、モータ１２、デッキ１４およびハブ１６は一緒に保持される、またはロックされる。同じく、パッドドライバ１８、毛材２０およびパッド２２は、パッドホルダアセンブリ３８を使用して一緒に保持され、パッドドライバアセンブリを形成する。ハブ１６（および従ってモータ１２およびデッキ１４）は、以下で詳細に記載するように、磁気結合および自己整列システムを使用して、タッチフリー式に、パッドドライバ１８（および従って毛材２０、パッド２２およびパッドホルダアセンブリ３８）に結合する。
【００２５】
図６〜８ｂは、一実施形態によるパッドドライバ１８を示す。パッドドライバ１８は上面７２と、底面７４と、上面７２を貫いて底面７４まで完全に延在する開口７６とを含む。パッドドライバ１８は、任意の所望のサイズおよび形状を有することができ、示される実施形態ではパッドドライバは円の形状を有する。パッドドライバ１８は外周７８および中央開口８０を有する。
【００２６】
パッドドライバ１８は、上面７２に、又はその一部に配列された複数の歯８２を含む。複数の歯８２は、歯８２がハブ１６上の対応する歯と噛み合う限り、任意の所望の構成または位置を有することができる。いくつかの場合、歯８２は角状の形状を有する。他の場合、歯８２は葉形または円形など非角状の形状を有する。示される実施形態では、複数の歯８２は、歯リングの形状である。特定実施形態では、複数の歯は、各歯の間に介在する隙間も間隔もない状態で歯リング全体の周囲に延在する。歯リングは外周７８と中央開口８０の間で上面７２のいかなる場所にも配置可能である。特定の場合、示されるように、歯リングは中央開口８０を直接囲む。
【００２７】
複数の歯８２はパッドドライバ１８の上面７２と一体であることができ、または、パッドドライバ１８の上面７２に固定される別個の部品もしくは挿入物であることができる。示される実施形態では、図８ｂに最もよく示されるように、パッドドライバ上面７２は、窪んだ領域８４を含み、複数の歯８２は、窪んだ領域８４に配置され固定される挿入物である。複数の歯が歯リングである場合では、窪んだ領域８４は、パッドドライバ開口７６を囲むリングである。歯リングは、窪んだ領域８４に適合するサイズおよび形状を有する挿入物である。
【００２８】
パッドドライバ１８はまた、上面７２に配列された１つまたは複数の磁石８６（図６）を含む。磁石８６は上面に直接配置可能であり、または複数の歯８２が挿入物である場合、磁石８６は挿入物上に配置することができる。示される場合、図６に最もよく示されるように、４つの磁石８６が、歯リング挿入物に直接配置され、その結果、歯リング挿入物が、窪んだ領域８４内に固定されるとき、磁石８６もまた上面７２に固定される。磁石８６はまた、歯リング８２と最外周囲７８の間の場所に配置されるが、これは要求されるものではない。磁石８６は、ハブ１６の強磁性材料と直接接触する限り、上面７２のいずれの場所にも配置可能である。磁石８６は、歯リング８２の周囲に延在する磁気リングから形成することもできる。
【００２９】
図８ａはパッドドライバ１８の上面図を示している。図８ｂは、概ね図８ａの線８ｂ−８ｂに沿って取られたパッドドライバ１８の断面図を提供する。図８ｂに最もよく示されるように、パッドドライバ底面７４は、図４に示される上部ワッシャ４０の上面４６を受け入れる窪んだ領域８８を含む。上部ワッシャ上面４６は、窪んだ領域８８に適合するようなサイズおよび形状である。ここで、上部ワッシャ上面４６は円形であり、窪んだ領域８８は窪んだリングである。勿論、上部ワッシャ上面４６および窪んだ領域８８は、任意の所望のサイズおよび形状を有することができる。上部ワッシャ上面４６は、公知のいずれかの取付け機構を使用して、窪んだ領域８８に固定することもできる。
【００３０】
図９〜１１ｂは一実施形態によるハブ１６を示す。ハブ１６は上面９０と、底面９２と、上面９０を貫いて底面９２まで完全に延在する開口３２とを含む。上で既に説明したように、ハブ開口３２は、モータドライブシャフト２４を受け入れるドライブシャフト開口として構成される。ハブ１６は任意の所望のサイズおよび形状を有することができ、示される実施形態では、ハブは円の形状を有する。ハブ１６は最外周囲９４を有する。いくつかの実施形態では、最外周囲９４は、ベルトドライブを受け取る表面を画定するが、これは確実に要求されるものではない。
【００３１】
ハブ底面９２は円筒状突出部９６と軸方向整列突出部９８とを含む。図１０に最もよく示されるように、円筒状突出部９６は、ハブ開口３２と整列突出部９８の間に配置される。換言すると、円筒状突出部９６はハブ開口３２を囲み且つ軸方向整列突出部９８に囲まれる。示される実施形態では、円筒状突出部９６は円形断面を有し、軸方向整列突出部９８は円錐または円錐台の形状を有する。
【００３２】
図１１ａはハブ１６の上面図を示す。図１１ｂは、図１１ａの線１１ｂ−１１ｂに沿って概ね取られたハブ１６の断面図を提供する。図１１ｂは軸方向整列突出部９８を最もよく示している。軸方向整列突出部９８は上面１００と最下面１０２とを有する。上面１００は最下面１０２の直径より大きい直径を有する。軸方向整列突出部９８は、上面１００から下方に延在し最下面１０２で終了する円錐または円錐台の形状を有する。最下面１０２はまた、軸方向整列突出部９８の最下面を形成する。軸方向整列突出部９８は下方に延在するので、その直径は、最下面１０２に到達するまで、連続的に減少する。
【００３３】
図６を参照し戻すと、パッドドライバ１８は中央開口８０を有する。中央開口８０は、軸方向整列突出部最下面１０２の直径より大きい直径を有する。いくつかの場合、パッドドライバ中央開口８０は、直径が軸方向整列突出部最下面１０２より０．５インチ以上、またはことによると１インチ以上大きい。この直径の差は、整列突出部最下面が、容易にパッドドライバ開口７６に案内されることを可能にする。同じく、パッドドライバ開口８０は、軸方向整列突出部９８の上面の直径とほぼ同じかほぼ類似する直径を有する。当業者は、ハブ底面９２が、底面がパッドドライバ１８の上面と軸方向に簡単に整列することを可能にする他のいずれかの構造を有することができることを理解するであろう。
【００３４】
ハブ１６は、ハブ底面９２にまたはその一部に配列された複数の歯１０４を含む。複数のハブ歯１０４は、歯がパッドドライバの対応する歯８２と噛み合う限り、任意の所望の構造または位置を有することができる。いくつかの場合、歯１０４は角状の形状を有する。他の場合、歯１０４は、葉形または円形など、非角状の形状を有する。示される実施形態では、図１０に最もよく示されるように、複数の歯１０４は、歯リングの形状である。歯リングは、歯がパッドドライバ歯８２と整列する限り、ハブ底面９２のいかなる場所にも配置可能である。特定の場合、示されるように、歯リング１０４は軸方向整列突出部９８を直接囲む。複数の歯１０４はハブ底面９２と一体であることができ、または、ハブ底面９２に固定される別個の部品もしくは挿入物であることができる。示される実施形態では、図１０ｂに最もよく示されるように、ハブ歯は、ハブ底面９２と一体であるか、その一部である。同じく、示されるように、ハブ歯は軸方向整列突出部９８の一部を形成することもできる。
【００３５】
ハブ１６はまた、図１０に最もよく示されるように、ハブ底面９２に配列された強磁性材料１０６を含む。ハブ本体全体が強磁性材料であることができるか、底面９２だけ強磁性材料であるか、または強磁性材料はハブ底面９２に取り付けられる挿入物として提供可能である。示される場合では、図１１ｂに最もよく示されるように、ハブ底面９２は窪んだリング１０８を有し、強磁性材料は、窪んだリング１０８に配置され固定されるリング１０６である。強磁性リング１０６は、ハブ歯リング１０４とハブ最外周囲９４の間の場所に配置されるように示されているが、これは要求されるものではない。強磁性リング１０６は、パッドドライバ上面７２の１つまたは複数の磁石８６と直接接触するようにハブ底面９２に配置すれば十分である。
【００３６】
強磁性材料１０６は当該技術分野で知られるいずれかの強磁性材料であることができる。他の場合、この材料は、磁石を引きつける他のいずれかの材料であることができる。特定実施形態では、磁石８６および強磁性材料１０６は、それらが組み合わされるとき少なくとも５０ポンド、少なくとも７５ポンド、少なくとも１００ポンド、または少なくとも１２５ポンドの力を保持できるように選択される。特定の場合、ハブ１６および／またはパッドドライバ１８は、２０インチなど、１８〜２２インチの全体直径を有し、組み合わされた磁石８６および磁性材料１０６は、少なくとも１００ポンドの力を保持できる。他の場合、ハブ１６および／またはパッドドライバ１８が１０〜１４インチの全体直径を有するとき、組み合わされた磁石（８６）および磁性材料は、少なくとも５０ポンドの力を保持することができる。出願人は、そのような大きい力を使用することによってパッドドライバ１８はより簡単にハブ１６を引きつけ、ハブ１６と自己整列することを発見した。同様に、強力な力は、洗浄ヘッド１０が床面の隆起部または溝の上を移動するときなど起伏のある作業条件の間、パッドドライバ１８をハブ１６に維持する助けとなる。
【００３７】
パッドドライバ歯８２およびハブ歯１０４は、それらが相互に噛み合い、機械作業の間、噛合を維持するようなどのような構造も有することができる。ハブ１６が時計回りまたは反時計回りに回転するとき、パッドドライバ１８も同様に回転する。噛み合った歯は、トルクがハブ１６からパッドドライバ１８へ伝達されることを可能にする。噛み合った歯は、回転する間、ねじれた空転を防止する一助にもなる。歯８２、１０４は角状の形状または葉形若しくは円形など非角状の形状を有することができる。特定の場合、パッドドライバ歯８２およびハブ歯１０４はそれぞれ、１／４インチ高さ、１／２インチまたはことによると１インチ高さなど、少なくとも１／８インチの高さである。いくつかの場合、歯８２、１０４は、１／８インチと１  １／２インチの間の高さ、または５ｍｍと３５ｍｍの間の高さである。特定の場合、歯８２、１０４は、１／２インチと１インチの間の高さなど、１／４インチと１インチの間の高さである。また、特定実施形態では、パッドドライバ歯８２およびハブ歯１０４はそれぞれ、１６〜４０個の間の歯、ことによるとそれぞれ２４個の歯など、２０〜３０個の間の歯（または合計３２〜８０個の歯、ことによると合計４８個の歯など、合計４０〜６０個の歯）を含む。最後に、特定の場合、パッドドライバ歯８２およびハブ歯１０４は、４５°、６０°または８０°の角度など、各歯間で３０〜９０角度で配置される。図６〜１３ｂの実施形態では、歯は各歯間で６０°の角度で配置される。図１４ａ〜２２ｂの実施形態では、歯は各歯間で８０°の角度で配置される。出願人は、歯８２、１０４が上記の寸法を有するとき、それらは特に効果的に相互に容易に整列し、一方で回転の間ねじれた空転を防止することを発見した。
【００３８】
図１２は、タッチフリー取付けおよび整列の間のハブ１６およびパッドドライバ１８の構成を示している。ハブ１６およびパッドドライバ１８は、相互に取り付けられるとき、パッドドライバ歯８２がタブ歯１０４と噛み合い、回転整列を提供するように構成される。特定の実施形態では、歯の先行面が鋭いエッジに形成され、その結果、パッドドライバ歯８２の１つの先行面はタブ歯１０４の１つの先行面を越えて滑り、歯が相互に噛み合うとき、相対回転移動を提供する。同様に、パッドドライバ上面７２の１つまたは複数の磁石８６は、ハブ底面９２の強磁性リング１０６と直接接触する。ここでも、パッドドライバ内側開口８０は、軸方向整列突出部の最下面１０２の直径より大きい直径を有する。
【００３９】
使用中、操作者は、洗浄ヘッドアセンブリ１０が（おそらく床に横たわっている）パッドドライバ１８の上に配置されるように、表面メンテナンス機械２００を単に配置する。磁石８６が強磁性材料１０６を引きつけ、従ってパッドドライバ１８をハブ１６に近づける。パッドドライバ１８がハブ１６の近くに移動するとき、ハブ軸方向整列突出部９８の最下面１０２が、パッドドライバ開口８０に自らを案内する。ここでも、この自己案内は、軸方向整列突出部９８の円錐台形状により起きる。最下面１０２のより小さい直径が、より大きい開口８０の直径に入る。整列突出部が開口８０中を移動するとき、円錐台形状はパッドドライバ１８およびハブ１６に軸方向に自己整列させる。
【００４０】
パッドドライバ１８は、パッドドライバ歯８２がハブ歯１０４と係合するまで上昇し続ける。パッドドライバ歯８２は最上面１１６を有し、最上面１１６は、歯が適所に回転し相互に直接噛み合うまで、時計回りまたは反時計回り方向のどちらかにハブ１６およびパッドドライバ１８の回転整列を引き起こすようにハブ１０４と係合する。いったん歯が相互に噛み合うと、磁石８６が同じく強磁性材料１０６と接触する。従って、この完全な軸方向整列、回転整列および取付けプロセスは、タッチレス式に実行可能である。操作者は洗浄ヘッドアセンブリ１０をパッドドライバ１８上に単に移動し、パッドドライバ１８はハブ１６に自動的に取り付けられ、整列する。
【００４１】
図１３ｂはハブ１６に取り付けられたパッドドライバ１８の断面図である。示されるように、パッドドライバ１８およびハブ１６が相互に取り付けられるとき、パッドドライバ歯８２はハブ歯１０４に挿入され、噛み合う。また円筒状突出部９６は、ねじ付きねじ突出部６８の最上面１１２の下に延在する最下面１１０を有する。流体分散管３０は流体を円筒状突出部９６に分散し、それは次にねじ付きねじ突出部６８に入り、ねじベース部６２の穴（不図示）を介してねじを出る。いったん流体がねじベース部６２を出ると、流体は床面に堆積される。中央突出部最下面１１０はねじ付きねじ突出部最上面１１２の下に延在しているので、分散された水は円筒状突出部９６およびねじ４４の内側の空間に閉じ込められ、ハブ１６およびパッドドライバ１８の他のどの構成要素にも浸入しない。
【００４２】
パッドドライバ１８をハブ１６から取り外すことが望まれるとき、操作者は単に磁石８６と強磁性材料１０６間の磁性結合を破断させる。特定の場合、洗浄ヘッドアセンブリ１０は、トリガされるとパッドドライバ１８に下向きの力をかけ、それにより結合を破断させる装置を含む。一実施形態では、デッキ１４はフットペダルを含み、操作者は単にフットペダルを踏み、それによりパッドドライバ１８に下向きの力がかけられる。別の実施形態では、デッキ１４は手動ボタンを含み、操作者はパッドドライバ１８に下向きの力をかけるためにボタンを押す。フットペダルまたは押しボタンは、パッドドライバに下向きの力を適用することができる当該技術分野の任意の所望の構造を有することができる。いくつかの場合、図２４に示されるように、フットペダルまたは押しボタンは、上向きに付勢するばねまたは他の付勢機構を含む。他の実施形態では、パッドドライバ１８をハブ１６から取り外すことが望まれるとき、操作者は、強磁性材料１０６を活性化し、強磁性材料１０６に磁石８６を反発させる。強磁性材料を活性化するいずれかのシステムを使用して強磁性材料１０６を起動することができる。
【００４３】
図６〜１３ｂの実施形態では、磁石８６はパッドドライバ１８に配置され、強磁性材料１０６はハブ１６に配置されるが、これは要求されるものではない。代わりに、強磁性材料１０６をパッドドライバ１８に配置またはパッドドライバ１８と一体化することができ、磁石８６をハブ１６に配置することができる。加えて、図６〜１３ｂの実施形態では、パッドドライバ歯８２は雄型構成要素であり、ハブ歯１０４は雌型構成要素であり、その結果、パッドドライバ雄型歯８２が雌型ハブ歯１０４に挿入される。代わりに、図１４ａ〜２２ｂの実施形態に示されるように、ハブ歯１０４が雄型構成要素であり、パッドドライバ歯８２が雌型構成要素であり、その結果、雄型ハブ歯１０４が雌型パッドドライバ歯８２に挿入される。
【００４４】
また、図６〜１３ｂの実施形態では、軸方向整列突出部９８はハブ１６に配置される。代わりに、整列突出部９８はパッドドライバ１８に配置可能であり、その結果、整列突出部の最上面はハブの開口を通って延在する。最後に、図６〜１３ｂの実施形態では、強磁性材料１０６はハブに配置される。代わりに、強磁性材料１０６は、デッキなど、洗浄ヘッドアセンブリの他の場所に配置可能である。同様に、ハブ部分は洗浄ヘッドアセンブリの別の構成要素と一体であることができる。強磁性材料１０６はパッドドライバの磁石８６と整列するように洗浄ヘッドアセンブリの構成要素に配置するだけでよい。
【００４５】
図１４ａ〜２２ｂは、別の実施形態によるパッドドライバ１８およびハブ１６を示す。図６〜１３ｂの実施形態に関して既に記載した特徴（および参照番号）が、図１４ａ〜２２ｂの実施形態にも当てはまる。図１４ａ〜１６ｂに示されるように、この実施形態のパッドドライバは図６〜８ｂの実施形態のパッドドライバに類似しているが、いくつかの相違がある。まず、図１６ｂを最良に参照すると、パッドドライバ底面７６は窪んだ領域８８を含み、複数の歯８２は、この窪んだ領域８８に嵌まる歯リング挿入物である。歯リング挿入物８２は、窪んだ領域８８に当接する外側ショルダ１１４を有する。従って、この実施形態の歯リング８２は、パッドドライバ上面７２よりもむしろパッドドライバ底面７６の周囲に適所に配置される。いったん歯リング挿入物８２が窪んだ領域８８に嵌められると、歯リングは図１４に示されるようにパッドドライバ上面７２に現れる。また、１つまたは複数の磁石８６は、挿入物８２に配置されるよりもむしろパッドドライバ上面７２自体に配置される。
【００４６】
図１７〜１９ｂは一実施形態によるハブ１６を示す。この実施形態のハブは図９〜１１ｂの実施形態のハブに類似しているがいくつかの相違がある。まず、図９〜１１ｂの実施形態では、ハブ最外周囲９４はベルトドライブを受け取る表面を画定するが、実施形態１７〜１９ｂでは、ハブ最外周囲９４はベルトドライブを受け取らない。また、ハブ歯１０４は雌型構成要素よりもむしろ雄型構成要素であり、その結果、雄型ハブ歯１０４は雌型パッドドライバ歯８２に挿入され、受け入れられる。最後に、歯８２、１０４は、６０°の角度よりもむしろ各歯間で８０°の角度の間で配置される。
【００４７】
最後に、図１〜２２ｂの実施形態では、洗浄ヘッドアセンブリ１０は、１つのハブ１６および１つのパッドドライバ１８を含む。しかしながら、当業者は、１つより多いハブ１６およびパッドドライバ１８を設けることができることを理解するであろう。例えば、図２３は、２つのハブ１６ａ、１６ｂおよび２つのパッドドライバ１８ａ、１８ｂが設けられた実施形態を示している。
【００４８】
図２５〜２７は、別の実施形態による洗浄ヘッドアセンブリ１０を示す。この実施形態では、パッドドライバ１８は磁石材料８６のリングを含む。また、洗浄ヘッドアセンブリは、パッドドライバ１８の磁性材料８６を引きつける１つまたは複数の強磁性磁石１０６を含む。強磁性磁石１０６は磁石リング８６と整列しそれを引きつけるように洗浄ヘッドアセンブリのどの場所にも配置可能である。いくつかの場合、強磁性磁石１０６は、ハブ以外の場所で洗浄ヘッドアセンブリ内に配置される。特定の場合、強磁性磁石１０６は、デッキまたは洗浄ヘッドアセンブリ１０の他のハウジングに配置される。さらに他の場合、強磁性磁石１０６は、洗浄ヘッドアセンブリ１０のハブの半径方向外側の位置にあるように配置される。
【００４９】
洗浄ヘッドアセンブリは、パッドドライバの開口８０に挿入される整列突出部９８（典型的にハブに配置される）を含む。この実施形態の整列突出部９８は、パッドドライバ１８の対応する雌型開口８０に挿入されその中でロックされる雄型キー付き形状を含む。いったん整列突出部９８が開口８０に挿入されると、開口８０内でロックされ、パッドドライバ１８を引き起こすようにそれ自体回転可能である。また、整列突出部９８が開口８０に挿入されるとき、強磁性磁石１０６は磁石リング８６を引きつける。
【００５０】
図２６は、磁石リング８６に引きつけられたまたは取り付けられた位置にある強磁性磁石１０６を示す。示されるように、強磁性磁石１０６は磁石リング８６と接触しない。むしろ、強磁性磁石１０６および磁石リングはそれらの間に間隙を有する。この間隙は、磁石８６、１０６が互いに引きつけられている間、パッドドライバ１８が回転することを許容する。
【００５１】
図２７は、磁石リング８６に引きつけられないまたは分離された位置にある強磁性磁石１０６を示す。強磁性磁石１０６を磁石リング８６から分離することが望まれるとき、操作者は単に強磁性磁石１０６を活性化し、強磁性磁石１０６に磁石リング８６を反発させることができる。いったん強磁性磁石１０６が磁石リング８６から分離されると、操作者は単に強磁性磁石８６を非活性化することができる。いったん非活性化されると、強磁性磁石８６は、一度適切に整列された磁石リング８６を再び引きつける。強磁性磁石を活性化および非活性化するいかなるシステムも使用可能である。そのようなシステムは、活性化が磁石を分離する短時間の間実行されるだけであり、これは活性化を実行するのに必要なバッテリを低減するので、有利である。
【００５２】
前述の詳細な記載において、特定実施形態を参照して本発明を記載した。しかしながら、本発明の範囲から逸脱することなく、様々な修正および変更を実行できることを認識することができる。
【図１】
2016508424.tif 000003
【図２】
2016508424.tif 000004
【図３】
2016508424.tif 000005
【図４】
2016508424.tif 000006
【図５ａ】
2016508424.tif 000007
【図５ｂ】
2016508424.tif 000008
【図６】
2016508424.tif 000009
【図７】
2016508424.tif 000010
【図８ａ】
2016508424.tif 000011
【図８ｂ】
2016508424.tif 000012
【図９】
2016508424.tif 000013
【図１０】
2016508424.tif 000014
【図１１ａ】
2016508424.tif 000015
【図１１ｂ】
2016508424.tif 000016
【図１２】
2016508424.tif 000017
【図１３ａ】
2016508424.tif 000018
【図１３ｂ】
2016508424.tif 000019
【図１４ａ】
2016508424.tif 000020
【図１４ｂ】
2016508424.tif 000021
【図１５】
2016508424.tif 000022
【図１６】
2016508424.tif 000023
【図１７ａ】
2016508424.tif 000024
【図１７ｂ】
2016508424.tif 000025
【図１８】
2016508424.tif 000026
【図１９】
2016508424.tif 000027
【図２０ａ】
2016508424.tif 000028
【図２０ｂ】
2016508424.tif 000029
【図２１】
2016508424.tif 000030
【図２２ａ】
2016508424.tif 000031
【図２２ｂ】
2016508424.tif 000032
【図２３】
2016508424.tif 000033
【図２４】
2016508424.tif 000034
【図２５】
2016508424.tif 000035
【図２６】
2016508424.tif 000036
【図２７】
2016508424.tif 000037
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
床面メンテナンス機械の洗浄ヘッドアセンブリであって、
該洗浄ヘッドアセンブリは、
前記床面メンテナンス機械に着脱可能に取り付けられるかまたは前記床面メンテナンス機械から取り外されるように構成された回転パッドであって、床面のメンテナンス作業を実行するように構成され、パッドドライバおよび毛材を有し、前記パッドドライバが、前記パッドと動力源とを連結することによって前記パッドに回転動作を付与するように構成され、前記毛材が前記パッドドライバの下側に連結される前記回転パッドと、
前記パッドドライバに着脱可能に接続することができる中央ハブであって、前記パッドドライバが、所定の回転位置および軸方向整列位置において前記中央ハブと係合可能であり、前記ハブおよび前記パッドドライバが、前記軸方向整列位置において、および前記所定の回転位置のうちの１つへ係合されると、前記動力源が前記パッドに回転動作を付与し、前記パッドドライバおよび前記ハブがそれぞれ、その間に相互の引力を有し、前記ハブおよび前記パッドドライバの前記相互の引力が、
前記パッドドライバと前記ハブをともに係合し、
前記所定の回転位置のうちの１つへの前記ハブと前記パッドドライバとの間の相対回転整列を促進し、
前記軸方向整列位置への前記パッドドライバと前記ハブとの間の相対軸方向整列を促進する
ように構成される前記中央ハブと、
を備える、
ことを特徴とする前記洗浄ヘッドアセンブリ。
【請求項２】
前記パッドドライバが上面を有し、１つまたは複数の磁石が前記パッドドライバの上面に配置され、前記ハブが底面を有し、強磁性材料が前記ハブの底面に配置される、
ことを特徴とする請求項１に記載の洗浄ヘッドアセンブリ。
【請求項３】
前記ハブが底面を有し、１つまたは複数の磁石が前記ハブの底面に配置され、前記パッドドライバが上面を有し、強磁性材料が前記パッドドライバの上面に配置される、
ことを特徴とする請求項１に記載の洗浄ヘッドアセンブリ。
【請求項４】
前記ハブが底面を有し、前記ハブの底面が軸方向整列突出部を含み、前記軸方向整列突出部が、最下面で終了する円錐台形状を有し、前記最下面が直径を有し、前記パッドドライバが、直径を有するパッドドライバ開口を有し、前記最下面の直径が前記パッドドライバ開口の直径よりも小さく、前記軸方向整列突出部が、前記パッドドライバと前記ハブの軸方向整列を促進し、整列および係合されると、前記動力源が、前記パッドに動作可能に接続され、前記パッドに回転動作を付与する、
ことを特徴とする請求項１に記載の洗浄ヘッドアセンブリ。
【請求項５】
前記パッドドライバが上面を有し、前記上面が軸方向整列突出部を含み、前記軸方向整列突出部が、最上面で終了する円錐台形状を有し、前記最上面が直径を有し、前記ハブが、直径を有するハブ開口を有し、前記最上面の直径が前記ハブ開口の直径よりも小さく、前記軸方向整列突出部が、前記パッドドライバと前記ハブの軸方向整列を促進し、整列および係合されると、前記動力源が、前記パッドに動作可能に接続され、前記パッドに回転動作を付与する、
ことを特徴とする請求項１に記載の洗浄ヘッドアセンブリ。
【請求項６】
前記動力源が、ドライブシャフトを有するモータである、ことを特徴とする請求項１に記載の洗浄ヘッドアセンブリ。
【請求項７】
前記パッドドライバが１つまたは複数の磁石を備え、洗浄ヘッドハウジングが、強磁性材料を含む構成要素を含み、前記強磁性材料が活性化されていないとき、前記１つまたは複数の磁石が前記強磁性材料を引きつける、
ことを特徴とする請求項１に記載の洗浄ヘッドアセンブリ。
【請求項８】
前記強磁性材料が活性化されているとき、前記１つまたは複数の磁石が前記強磁性材料から反発する、
ことを特徴とする請求項７に記載の洗浄ヘッドアセンブリ。
【請求項９】
前記１つまたは複数の磁石が前記強磁性材料を引きつけているとき、前記パッドドライバが前記洗浄ヘッドハウジングに連結する、
ことを特徴とする請求項７に記載の洗浄ヘッドアセンブリ。
【請求項１０】
前記１つまたは複数の磁石が前記強磁性材料を引きつけた後、前記１つまたは複数の磁石が間隙によって前記パッドドライバから分離され、前記間隙は前記パッドドライバが前記洗浄ヘッドハウジングに対して回転することを可能にする、
ことを特徴とする請求項７に記載の洗浄ヘッドアセンブリ。
【請求項１１】
前記パッドドライバが１つまたは複数の磁石を含み、前記洗浄ヘッドハウジングが、強磁性材料を含む構成要素を含み、強磁性材料を含む前記構成要素がデッキである、
ことを特徴とする請求項７に記載の洗浄ヘッドアセンブリ。
【請求項１２】
前記パッドドライバが１つまたは複数の磁石を含み、前記洗浄ヘッドハウジングがハブおよび強磁性材料を含み、前記強磁性材料が前記ハブに配置されない、
ことを特徴とする請求項７に記載の洗浄ヘッドアセンブリ。
【請求項１３】
前記パッドドライバが、１つまたは複数のパッドドライバ整列歯を有し、前記ハブが、前記１つまたは複数のパッドドライバ整列歯に対応する１つまたは複数のハブ整列歯を有し、前記１つまたは複数のパッドドライバ整列歯が、前記パッドと前記ハブの回転整列を促進し、整列および係合されると、前記動力源が、前記パッドに動作可能に接続され、前記パッドに回転動作を付与する、
ことを特徴とする請求項１に記載の洗浄ヘッドアセンブリ。
【請求項１４】
前記軸方向整列位置が、前記中央ハブおよび前記パッドドライバの同軸整列に対応する、
ことを特徴とする請求項１に記載の洗浄ヘッドアセンブリ。
【請求項１５】
前記中央ハブおよび前記パッドドライバは、前記中央ハブおよび前記パッドドライバのうちの一方が前記中央ハブおよび前記パッドドライバのうちの他方に受け入れ可能であるように相補的な形状を有し、前記中央ハブおよび前記パッドドライバの前記相補的な形状の係合によって、前記軸方向整列位置への前記パッドドライバと前記ハブとの間の軸方向整列が促進される、
ことを特徴とする請求項１に記載の洗浄ヘッドアセンブリ。
【請求項１６】
前記ハブおよび前記パッドドライバの前記相互の引力によって、前記ハブおよび前記パッドドライバが互いに相対移動し、前記ハブおよび前記パッドドライバが、前記ハブおよび前記パッドドライバの互いの前記相対移動時に、軸方向に整列され回転整列される、
ことを特徴とする請求項１に記載の洗浄ヘッドアセンブリ。
【請求項１７】
表面メンテナンス機械のパッドアセンブリであって、該パッドアセンブリは、
パッドと該パッドに回転動作を伝達する前記表面メンテナンス機械の動力源とを接続するパッドドライバであって、引力を発生させ引きつけて前記パッドドライバと前記動力源との回転整列および軸方向整列を促進する磁性材料または強磁性材料を有し、前記パッドと前記動力源のインタフェースとの回転整列を促進する１つまたは複数のパッド整列歯を有し、回転整列および軸方向整列されると、前記動力源が、前記パッドに動作可能に接続され、前記パッドに回転動作を付与し、前記表面メンテナンス機械に着脱可能に取り付けられるかまたは前記表面メンテナンス機械から取り外されるように構成される前記パッドドライバと、
前記パッドドライバの下側に固定され、床面に合わせたときに、前記パッドドライバとともに回転して前記床面の表面メンテナンス作業を実行するように構成された前記毛材と、
を備える、
ことを特徴とする前記パッドアセンブリ。
【請求項１８】
前記パッドが、ホルダアセンブリによって前記パッドドライバに連結される、ことを特徴とする請求項１７に記載のパッドアセンブリ。
【請求項１９】
床面メンテナンス機械の洗浄ヘッドアセンブリであって、該洗浄ヘッドアセンブリは、
前記床面メンテナンス機械に着脱可能に取り付けられるかまたは前記床面メンテナンス機械から取り外されるように構成された回転パッドであって、床面のメンテナンス作業を実行するように構成され、パッドドライバおよび毛材を有し、前記パッドドライバが、前記パッドと動力源とを連結することによって前記パッドに回転動作を付与するように構成され、前記毛材が前記パッドドライバの下側に連結され、前記パッドドライバが、１つまたは複数のパッドドライバ整列歯を有する前記回転パッドと、
前記パッドドライバに着脱可能に接続することができるハブであって、前記１つまたは複数のパッドドライバ整列歯に対して相補的な形状の１つまたは複数のハブ整列歯を有し、前記１つまたは複数のパッドドライバ整列歯が、１つまたは複数の所定の回転位置への前記パッドと前記ハブの回転整列を促進し、前記ハブと前記パッドドライバがともに係合されると、前記動力源が前記パッドに回転動作を付与し、前記パッドドライバおよび前記ハブがそれぞれ、その間に相互の引力を有し、前記ハブおよび前記パッドドライバの前記相互の引力が、
前記パッドドライバと前記ハブをともに係合し、
前記所定の回転位置のうちの１つへの前記ハブと前記パッドドライバとの間の相対回転整列を促進する
ように構成される前記ハブと、
を備える、
ことを特徴とする前記洗浄ヘッドアセンブリ。
【請求項２０】
前記ハブと前記パッドドライバがともに係合されると、前記ハブおよび前記パッドドライバの前記相互の引力によって、前記パッドドライバおよび前記ハブの軸方向整列が促進される、
ことを特徴とする請求項１９に記載の洗浄ヘッドアセンブリ。
【国際調査報告】
2016508424.tif 000038
2016508424.tif 000039